(57)【要約】【課題】移動端末が通信中に異なるセグメントに属するアクセスポイントへハンドオーバを行った場合の通信データの欠落をより少なくすることができる無線ＬＡＮシステムを提供する。【解決手段】新たなアクセスポイント３ａ2（又は３ｂ）へのハンドオーバが完了した時、ＤＨＣＰ−ＤｉｓｃｏｖｅｒパケットをＤＨＣＰサーバ４ａ（又は４ｂ）に送信し、且つ、ハンドオーバ前に使用していたＩＰアドレスを保持しておき、ＤＨＣＰサーバ４ａ（又は４ｂ）からのＤＨＣＰ−Ｏｆｆｅｒパケットを受信すると共に、ＤＨＣＰ−Ｏｆｆｅｒパケット内のＩＰアドレスを、保持したＩＰアドレスと比較し、両ＩＰアドレスが同一セグメントである場合は、ハンドオーバ前に使用していたＩＰアドレスをそのまま保持し、両ＩＰアドレスが異なるセグメントである場合は、ＤＨＣＰシーケンスを続行して新たなＩＰアドレスを保持するＩＰアドレス切替手段２３を有する無線ＬＡＮシステムである。【選択図】図１
2011199732.tif 000002
【特許請求の範囲】
【請求項１】
無線通信を行う移動端末と、
通信データを伝送するための複数のセグメントを含むネットワークと、
前記ネットワークに接続され、前記移動端末により無線通信を用いて送受信される通信データを、前記ネットワークを介して中継する複数のアクセスポイントと、
前記ネットワークの前記セグメントごとに接続され、前記アクセスポイントを介して前記移動端末によって行われるＤＨＣＰパケットの通信を交換するＤＨＣＰサーバと、
を備え、
前記移動端末は、
新たなアクセスポイントへのハンドオーバが完了した時、ＤＨＣＰ−Ｄｉｓｃｏｖｅｒパケットを生成すると共に前記ＤＨＣＰサーバに送信し、且つ、ハンドオーバ前に使用していたＩＰアドレスを保持しておき、
前記ＤＨＣＰサーバからのＤＨＣＰ−Ｏｆｆｅｒパケットを受信すると、前記ＤＨＣＰ−Ｏｆｆｅｒパケット内のＩＰアドレスを、ハンドオーバ前に使用していたＩＰアドレスと比較し、
両ＩＰアドレスが同一セグメントである場合は、ハンドオーバ前に使用していたＩＰアドレスにそのまま保持し、
両ＩＰアドレスが異なるセグメントである場合は、ＤＨＣＰシーケンスを続行して新たなＩＰアドレスを保持するＩＰアドレス切替手段を有する、
無線ＬＡＮシステム。
【請求項２】
前記ＩＰアドレス切替手段は、
前記アクセスポイントと無線通信を行う無線通信部と、
ハンドオーバ時に帰属要求を生成すると共に前記無線通信部を介して前記アクセスポイントに送信し、また、前記アクセスポイントからの帰属応答を前記無線通信部を介して受信する帰属処理部と、
ＤＨＣＰパケットを生成すると共に前記無線通信部を介して前記ＤＨＣＰサーバに送信し、また、前記ＤＨＣＰサーバからのＤＨＣＰパケットを前記無線通信部を介して受信し、受信したＤＨＣＰパケット内のＩＰアドレスを、自身が保持しているＩＰアドレスと比較するＩＰアドレス送受信・監視部とからなる、
請求項１記載の無線ＬＡＮシステム。
【請求項３】
新たなアクセスポイントへのハンドオーバが完了した時、ＤＨＣＰ−Ｄｉｓｃｏｖｅｒパケットを生成すると共に前記ＤＨＣＰサーバに送信し、且つ、ハンドオーバ前に使用していたＩＰアドレスを保持しておき、
前記ＤＨＣＰサーバからのＤＨＣＰ−Ｏｆｆｅｒパケットを受信すると、前記ＤＨＣＰ−Ｏｆｆｅｒパケット内のＩＰアドレスを、ハンドオーバ前に使用していたＩＰアドレスと比較し、
両ＩＰアドレスが同一セグメントである場合は、ハンドオーバ前に使用していたＩＰアドレスにそのまま保持し、
両ＩＰアドレスが異なるセグメントである場合は、ＤＨＣＰシーケンスを続行して新たなＩＰアドレスを保持するＩＰアドレス切替手段を有する、
移動端末。
【請求項４】
前記ＩＰアドレス切替手段は、
前記アクセスポイントと無線通信を行う無線通信部と、
ハンドオーバ時に帰属要求を生成すると共に前記無線通信部を介して前記アクセスポイントに送信し、また、前記アクセスポイントからの帰属応答を前記無線通信部を介して受信する帰属処理部と、
ＤＨＣＰパケットを生成すると共に前記無線通信部を介して前記ＤＨＣＰサーバに送信し、また、前記ＤＨＣＰサーバからのＤＨＣＰパケットを前記無線通信部を介して受信し、受信したＤＨＣＰパケット内のＩＰアドレスを、自身が保持しているＩＰアドレスと比較するＩＰアドレス送受信・監視部とからなる、
請求項３記載の移動端末。
【請求項５】
移動端末は、現在接続中のアクセスポイントから新たなアクセスポイントへハンドオーバした時、ＤＨＣＰ−ＤｉｓｃｏｖｅｒパケットをＤＨＣＰサーバに送信し、且つ、ハンドオーバ前に使用していたＩＰアドレスを保持し、
前記ＤＨＣＰサーバからのＤＨＣＰ−Ｏｆｆｅｒパケット内のＩＰアドレスを、前記移動端末に保持させたＩＰアドレスと比較し、
両ＩＰアドレスが同一セグメントである場合は、ハンドオーバ前に使用していたＩＰアドレスをそのまま保持し、
両ＩＰアドレスが異なるセグメントである場合は、ＤＨＣＰシーケンスを続行して新たなＩＰアドレスを保持する、
移動端末のＩＰアドレス切替方法。
【請求項６】
前記ＤＨＣＰシーケンスは、
ＤＨＣＰ−Ｒｅｑｕｅｓｔパケットを前記ＤＨＣＰサーバに送信する工程と、
前記ＤＨＣＰサーバからのＤＨＣＰ−Ａｃｋパケット内のＩＰアドレスを新たに保持する工程とを備える、
請求項５記載の移動端末のＩＰアドレス切替方法。
【発明の詳細な説明】
【技術分野】
【０００１】
本発明は、無線ＬＡＮ（Ｌｏｃａｌ  Ａｒｅａ  Ｎｅｔｗｏｒｋ）システム、移動端末及び移動端末のＩＰ（Ｉｎｔｅｒｎｅｔ  Ｐｒｏｔｏｃｏｌ）アドレス切替方法に関するものである。
【背景技術】
【０００２】
複数のセグメント（ネットワークアドレスにより区切られるネットワークの単位）で構成されている無線ＬＡＮシステムにおいて、移動端末（無線通信端末）がセグメントをまたぐハンドオーバを行う場合、ハンドオーバ先のセグメントにおいて、当該移動端末には、ハンドオーバ前のセグメントで使用したＩＰアドレスとは異なるＩＰアドレスが割り当てられる必要がある。
【０００３】
特許文献１には、通信ネットワークに接続された通信管理サーバを備え、異なるセグメントへハンドオーバを行う場合に、無線ＬＡＮ端末に新たなＩＰアドレスが割り当てられて通信の再開が可能となるまで、無線ＬＡＮ端末宛の通信データを通信管理サーバ内に蓄積する技術が記載されている。
【０００４】
特許文献１の技術によれば、異なるセグメントへハンドオーバを行う場合の通信データの欠落を少なくすることができる。
【先行技術文献】
【特許文献】
【０００５】
【特許文献１】特開２００７−２４３６９３号公報
【発明の概要】
【発明が解決しようとする課題】
【０００６】
上記の従来技術では、通信ネットワークに通信管理サーバを設ける必要があるとともに、各アクセスポイントは、無線ＬＡＮ端末が異なるセグメントへハンドオーバを行う場合に通信管理サーバと所定の通信を行うプロトコルに対応する必要がある。したがって、この技術を導入するさいには、ネットワーク側の構成やプロトコルを変更しなければならない。
【０００７】
そこで、本発明の目的は、ネットワーク側の構成やプロトコルを変更することなく、移動端末が通信中に異なるセグメントに属するアクセスポイントへハンドオーバを行った場合の通信データの欠落をより少なくすることができる無線ＬＡＮシステム、移動端末及び移動端末のＩＰアドレス切替方法を提供することにある。
【課題を解決するための手段】
【０００８】
本発明は上記目的を達成するために創案されたものであり、請求項１の発明は、無線通信を行う移動端末と、通信データを伝送するための複数のセグメントを含むネットワークと、前記ネットワークに接続され、前記移動端末により無線通信を用いて送受信される通信データを、前記ネットワークを介して中継する複数のアクセスポイントと、前記ネットワークの前記セグメントごとに接続され、前記アクセスポイントを介して前記移動端末によって行われるＤＨＣＰパケットの通信を交換するＤＨＣＰサーバと、を備え、前記移動端末は、新たなアクセスポイントへのハンドオーバが完了した時、ＤＨＣＰ−Ｄｉｓｃｏｖｅｒパケットを生成すると共に前記ＤＨＣＰサーバに送信し、且つ、ハンドオーバ前に使用していたＩＰアドレスを保持しておき、前記ＤＨＣＰサーバからのＤＨＣＰ−Ｏｆｆｅｒパケットを受信すると、前記ＤＨＣＰ−Ｏｆｆｅｒパケット内のＩＰアドレスを、ハンドオーバ前に使用していたＩＰアドレスと比較し、両ＩＰアドレスが同一セグメントである場合は、ハンドオーバ前に使用していたＩＰアドレスにそのまま保持し、両ＩＰアドレスが異なるセグメントである場合は、ＤＨＣＰシーケンスを続行して新たなＩＰアドレスを保持するＩＰアドレス切替手段を有する、無線ＬＡＮシステムである。
【０００９】
請求項２の発明は、前記ＩＰアドレス切替手段は、前記アクセスポイントと無線通信を行う無線通信部と、ハンドオーバ時に帰属要求を生成すると共に前記無線通信部を介して前記アクセスポイントに送信し、また、前記アクセスポイントからの帰属応答を前記無線通信部を介して受信する帰属処理部と、ＤＨＣＰパケットを生成すると共に前記無線通信部を介して前記ＤＨＣＰサーバに送信し、また、前記ＤＨＣＰサーバからのＤＨＣＰパケットを前記無線通信部を介して受信し、受信したＤＨＣＰパケット内のＩＰアドレスを、自身が保持しているＩＰアドレスと比較するＩＰアドレス送受信・監視部とからなる、請求項１記載の無線ＬＡＮシステムである。
【００１０】
請求項３の発明は、新たなアクセスポイントへのハンドオーバが完了した時、ＤＨＣＰ−Ｄｉｓｃｏｖｅｒパケットを生成すると共に前記ＤＨＣＰサーバに送信し、且つ、ハンドオーバ前に使用していたＩＰアドレスを保持しておき、前記ＤＨＣＰサーバからのＤＨＣＰ−Ｏｆｆｅｒパケットを受信すると、前記ＤＨＣＰ−Ｏｆｆｅｒパケット内のＩＰアドレスを、ハンドオーバ前に使用していたＩＰアドレスと比較し、両ＩＰアドレスが同一セグメントである場合は、ハンドオーバ前に使用していたＩＰアドレスにそのまま保持し、両ＩＰアドレスが異なるセグメントである場合は、ＤＨＣＰシーケンスを続行して新たなＩＰアドレスを保持するＩＰアドレス切替手段を有する、移動端末である。
【００１１】
請求項４の発明は、前記ＩＰアドレス切替手段は、前記アクセスポイントと無線通信を行う無線通信部と、ハンドオーバ時に帰属要求を生成すると共に前記無線通信部を介して前記アクセスポイントに送信し、また、前記アクセスポイントからの帰属応答を前記無線通信部を介して受信する帰属処理部と、ＤＨＣＰパケットを生成すると共に前記無線通信部を介して前記ＤＨＣＰサーバに送信し、また、前記ＤＨＣＰサーバからのＤＨＣＰパケットを前記無線通信部を介して受信し、受信したＤＨＣＰパケット内のＩＰアドレスを、自身が保持しているＩＰアドレスと比較するＩＰアドレス送受信・監視部とからなる、請求項３記載の移動端末である。
【００１２】
請求項５の発明は、移動端末は、現在接続中のアクセスポイントから新たなアクセスポイントへハンドオーバした時、ＤＨＣＰ−ＤｉｓｃｏｖｅｒパケットをＤＨＣＰサーバに送信し、且つ、ハンドオーバ前に使用していたＩＰアドレスを保持し、前記ＤＨＣＰサーバからのＤＨＣＰ−Ｏｆｆｅｒパケット内のＩＰアドレスを、前記移動端末に保持させたＩＰアドレスと比較し、両ＩＰアドレスが同一セグメントである場合は、ハンドオーバ前に使用していたＩＰアドレスをそのまま保持し、両ＩＰアドレスが異なるセグメントである場合は、ＤＨＣＰシーケンスを続行して新たなＩＰアドレスを保持する、移動端末のＩＰアドレス切替方法である。
【００１３】
請求項６の発明は、前記ＤＨＣＰシーケンスは、ＤＨＣＰ−Ｒｅｑｕｅｓｔパケットを前記ＤＨＣＰサーバに送信する工程と、前記ＤＨＣＰサーバからのＤＨＣＰ−Ａｃｋパケット内のＩＰアドレスを新たに保持する工程とを備える、請求項５記載の移動端末のＩＰアドレス切替方法である。
【発明の効果】
【００１４】
本発明によれば、ネットワーク側の構成やプロトコルを変更することなく、移動端末が通信中に異なるセグメントに属するアクセスポイントへハンドオーバを行った場合の通信データの欠落をより少なくすることができる。
【図面の簡単な説明】
【００１５】
【図１】本発明の一実施の形態に係る無線ＬＡＮシステムを示すシステム構成図である。
【図２】図１の無線ＬＡＮシステムにおける移動端末の構成を示すブロック図である。
【図３】図１の無線ＬＡＮシステムにおいて、移動端末が通信中に異なるセグメント（レイヤ３）に属するアクセスポイントへハンドオーバを行った場合の動作シーケンスを示す図である。
【図４】図１の無線ＬＡＮシステムにおいて、移動端末が通信中に同一セグメント（レイヤ２）に属するアクセスポイントへハンドオーバを行った場合の動作シーケンスを示す図である。
【図５】図１の無線ＬＡＮシステムにおける移動端末のＩＰアドレス切替方法を示すフローチャートである。
【発明を実施するための形態】
【００１６】
以下、本発明の好適な実施の形態を添付図面にしたがって説明する。
【００１７】
図１は、本実施の形態に係る無線ＬＡＮシステムを示すシステム構成図である。
【００１８】
図１に示すように、本実施の形態に係る無線ＬＡＮシステム１０は、無線通信を行う移動端末１と、セグメント２ａ，２ｂを含んで構成されるネットワークと、セグメント２ａ，２ｂにそれぞれ接続されたアクセスポイント３ａ1，３ａ2，３ｂと、セグメント２ａ，２ｂにそれぞれ接続されたＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ４ａ，４ｂとを備える。
【００１９】
移動端末１は、最寄りのアクセスポイント３ａ1，３ａ2，３ｂを無線ＬＡＮに基づく通信を行うことによって、当該アクセスポイント３ａ1，３ａ2，３ｂを介して通信を行う。
【００２０】
ネットワークは、セグメント２ａ，２ｂからなり、通信データを伝送するための伝送路を有する。セグメント２ａ，２ｂはルータ５を介して接続され、互いに異なるセグメントを構成する。なお、図１では、セグメント２ａ，２ｂが有線通信によって実現される例を示したが、これに限られるものではなく、無線通信によって実現されてもよい。
【００２１】
アクセスポイント３ａ1，３ａ2，３ｂは、移動端末１により無線通信を用いて送受信される通信データを、セグメント２ａ，２ｂを介して中継するものである。アクセスポイント３ａ1，３ａ2はセグメント２ａに接続され、アクセスポイント３ｂはセグメント２ｂに接続される。つまり、アクセスポイント３ａ1，３ａ2は同一セグメントに属しており、アクセスポイント３ａ1，３ａ2とアクセスポイント３ｂは異なるセグメントに属している。これらアクセスポイント３ａ1，３ａ2，３ｂは、それぞれカバーエリア６ａ1，６ａ2，６ｂ内の移動端末１の通信を中継するようになっている。
【００２２】
ＤＨＣＰサーバ４ａ，４ｂは、それぞれのアクセスポイント３ａ1，３ａ2，３ｂを介して移動端末１によって行われるＤＨＣＰパケットの通信を交換するものである。ＤＨＣＰサーバ４ａはセグメント２ａに属し、ＤＨＣＰサーバ４ｂはセグメント２ｂに属する。
【００２３】
移動端末のＩＰアドレス切替方法を実現するための移動端末１の一例を説明する。図２は、移動端末の詳細な機能構成の一例を示すブロック図である。
【００２４】
図２に示すように、移動端末１はＩＰアドレス切替手段２３を備える。ＩＰアドレス切替手段２３は、具体的に、無線通信部２０と、帰属処理部２１と、ＩＰアドレス送受信・監視部２２とからなる。
【００２５】
無線通信部２０は、アクセスポイント３ａ1，３ａ2，３ｂと無線通信を行うものである。
【００２６】
帰属処理部２１は、ハンドオーバ時に帰属要求を生成すると共に無線通信部２０を介してアクセスポイント３ａ1（又は３ａ2或いは３ｂ）に送信するものである。また、帰属処理部２１は、アクセスポイント３ａ1（又は３ａ2或いは３ｂ）からの帰属応答を無線通信部２０を介して受信するものである。
【００２７】
ＩＰアドレス送受信・監視部２２は、ＤＨＣＰパケットを生成すると共に無線通信部２０を介してＤＨＣＰサーバ４ａ（又は４ｂ）に送信するものである。また、ＩＰアドレス送受信・監視部２２は、ＤＨＣＰサーバ４ａ（又は４ｂ）からのＤＨＣＰパケットを無線通信部２０を介して受信し、受信したＤＨＣＰパケット内のＩＰアドレスを、自身が保持しているＩＰアドレスと比較するものである。
【００２８】
これらを有したＩＰアドレス切替手段２３は、新たなアクセスポイント３ａ1（又は３ａ2或いは３ｂ）へのハンドオーバが完了した時、ＩＰアドレス送受信・監視部２２でＤＨＣＰ−Ｄｉｓｃｏｖｅｒパケットを生成すると共に無線通信部２０を介してＤＨＣＰサーバ４ａ（又は４ｂ）に送信する。且つ、ＩＰアドレス切替手段２３は、ＩＰアドレス送受信・監視部２２に、ハンドオーバ前に使用していたＩＰアドレスを保持しておく。
【００２９】
次いで、ＩＰアドレス切替手段２３は、ＩＰアドレス送受信・監視部２２でＤＨＣＰサーバ４ａ（又は４ｂ）からのＤＨＣＰ−Ｏｆｆｅｒパケットを無線通信部２０を介して受信すると共に、ＤＨＣＰ−Ｏｆｆｅｒパケット内のＩＰアドレスを、ＩＰアドレス送受信・監視部２２に保持したＩＰアドレスと比較する。
【００３０】
そして、両ＩＰアドレスが同一セグメントである場合は、ＩＰアドレス切替手段２３は、ハンドオーバ前に使用していたＩＰアドレスをＩＰアドレス送受信・監視部２２にそのまま保持する。
【００３１】
一方、両ＩＰアドレスが異なるセグメントである場合は、ＩＰアドレス切替手段２３は、ＤＨＣＰシーケンスを続行して新たなＩＰアドレスをＩＰアドレス送受信・監視部２２に保持する。
【００３２】
次に、ＩＰアドレス切替手段２３を備えた移動端末１を用いた無線ＬＡＮシステム１０の動作シーケンスを説明する。
【００３３】
先ず、無線ＬＡＮシステム１０において、移動端末１が通信中に異なるセグメント（レイヤ３）に属するアクセスポイントへハンドオーバを行った場合の動作シーケンスを図３で説明する。
【００３４】
図３では、図１に示したように配置されたアクセスポイント３ａ1及びアクセスポイント３ｂ間を移動端末１がハンドオーバする場合を想定している。なお、本動作シーケンスでは、移動端末１は既にＤＨＣＰサーバ４ａから配布されたＩＰアドレスを保持しているものとする。
【００３５】
図３に示すように、先ず、移動端末１は、帰属中のアクセスポイント３ａ1との通信状態が悪くなると、ハンドオーバを開始し（Ｓ３００）、帰属要求を最寄りのアクセスポイント３ｂに送信する（Ｓ３０１）。
【００３６】
その後、アクセスポイント３ｂからの帰属応答を待ち（Ｓ３０２）、帰属応答を受信できた場合はハンドオーバが完了する。
【００３７】
ハンドオーバが完了すると、移動端末１は、ＩＰアドレス送受信・監視部２２でＤＨＣＰ−Ｄｉｓｃｏｖｅｒパケットを生成すると共に無線通信部２０を介してＤＨＣＰ−ＤｉｓｃｏｖｅｒパケットをＤＨＣＰサーバ４ｂに送信する（Ｓ３０３）。
【００３８】
そして、移動端末１は、ＩＰアドレス送受信・監視部２２でＤＨＣＰサーバ４ｂからの応答であるＤＨＣＰ−Ｏｆｆｅｒパケットを無線通信部２０を介して受信し（Ｓ３０４）、ＤＨＣＰ−Ｏｆｆｅｒパケット内のＩＰアドレスを、ＩＰアドレス送受信・監視部２２に保持したＩＰアドレスと比較する（Ｓ３０５）。
【００３９】
このとき、ＤＨＣＰ−Ｏｆｆｅｒパケット内のＩＰアドレスは、ＩＰアドレス送受信・監視部２２に保持したＩＰアドレスと異なるセグメントのＩＰアドレスであるため、移動端末１は、異なるセグメントへ移動したことを検知し、ＩＰアドレス送受信・監視部２２でＤＨＣＰ−Ｒｅｑｕｅｓｔパケットを生成すると共に無線通信部２０を介してＤＨＣＰサーバ４ｂに送信する（Ｓ３０６）。
【００４０】
その後、移動端末１は、ＩＰアドレス送受信・監視部２２でＤＨＣＰサーバ４ｂからＤＨＣＰ−Ａｃｋパケットを無線通信部２０を介して受信し（Ｓ３０７）、ＤＨＣＰ−Ａｃｋパケット内のＩＰアドレスをＩＰアドレス送受信・監視部２２に新たに保持する（Ｓ３０８）。
【００４１】
以上の動作シーケンスにより、移動端末１のＩＰアドレスの切り替えが完了する。
【００４２】
次に、無線ＬＡＮシステム１０において、移動端末１が通信中に同一セグメント（レイヤ２）に属するアクセスポイントへハンドオーバを行った場合の動作シーケンスを図４で説明する。
【００４３】
図４では、図１に示したように配置されたアクセスポイント３ａ1及びアクセスポイント３ａ2間を移動端末１がハンドオーバする場合を想定している。なお、本動作シーケンスでは、移動端末１は既にＤＨＣＰサーバ４ａから配布されたＩＰアドレスを保持しているものとする。
【００４４】
図４に示すように、先ず、移動端末１は、帰属中のアクセスポイント３ａ1との通信状態が悪くなると、ハンドオーバを開始し（Ｓ４００）、帰属要求を最寄りのアクセスポイント３ａ2に送信する（Ｓ４０１）。
【００４５】
その後、アクセスポイント３ａ2からの帰属応答を待ち（Ｓ４０２）、帰属応答を受信できた場合はハンドオーバが完了する。
【００４６】
ハンドオーバが完了すると、移動端末１は、ＩＰアドレス送受信・監視部２２でＤＨＣＰ−Ｄｉｓｃｏｖｅｒパケットを生成すると共に無線通信部２０を介してＤＨＣＰ−ＤｉｓｃｏｖｅｒパケットをＤＨＣＰサーバ４ａに送信する（Ｓ４０３）。
【００４７】
そして、移動端末１は、ＩＰアドレス送受信・監視部２２でＤＨＣＰサーバ４ａからの応答であるＤＨＣＰ−Ｏｆｆｅｒパケットを無線通信部２０を介して受信し（Ｓ４０４）、ＤＨＣＰ−Ｏｆｆｅｒパケット内のＩＰアドレスを、ＩＰアドレス送受信・監視部２２に保持したＩＰアドレスと比較する（Ｓ４０５）。
【００４８】
このとき、ＤＨＣＰ−Ｏｆｆｅｒパケット内のＩＰアドレスは、ＩＰアドレス送受信・監視部２２に保持したＩＰアドレスと同一セグメントのＩＰアドレスであるため、移動端末１は、同一セグメント内での移動であることを検知し、ハンドオーバ前に使用していたＩＰアドレスをＩＰアドレス送受信・監視部２２にそのまま保持する（Ｓ４０６）。
【００４９】
以上の動作シーケンスにより、移動端末１のＩＰアドレスの切り替え（維持）が完了する。
【００５０】
これらの動作シーケンスをまとめた移動端末１の動作のフローチャートを図５に示す。
【００５１】
本発明では、移動端末１は、帰属中のアクセスポイントとの通信状態が悪くなると、本フローチャートに示す動作を開始する。
【００５２】
（Ｓ５００）
帰属要求をアクセスポイントへ送信する。
【００５３】
（Ｓ５０１）
帰属応答をアクセスポイントから受信できたか否かを判断する。帰属応答をアクセスポイントから受信できた場合はＳ５０２を実行し、帰属応答をアクセスポイントから受信できなかった場合はＳ５０３を実行する。
【００５４】
（Ｓ５０２）
帰属応答をアクセスポイントから受信できた場合はハンドオーバが完了する。
【００５５】
（Ｓ５０３）
帰属応答をアクセスポイントから受信できなかった場合は帰属要求をアクセスポイントへ再送信する。
【００５６】
（Ｓ５０４）
ＤＨＣＰ−ＤｉｓｃｏｖｅｒパケットをＤＨＣＰサーバに送信する。
【００５７】
（Ｓ５０５）
ＤＨＣＰサーバからの応答（ＤＨＣＰ−Ｏｆｆｅｒパケット）内のＩＰアドレスが自身の持っているＩＰアドレスと同一セグメントのＩＰアドレスか否かを判断する。同一セグメントである場合はＳ５０６を実行し、異なるセグメントである場合はＳ５０７を実行する。
【００５８】
（Ｓ５０６）
同一セグメントである場合は自身の持っているＩＰアドレスをそのまま保持する。
【００５９】
（Ｓ５０７）
異なるセグメントである場合はＤＨＣＰ−ＲｅｑｕｅｓｔパケットをＤＨＣＰサーバに送信する。
【００６０】
（Ｓ５０８）
ＤＨＣＰサーバからＤＨＣＰ−Ａｃｋパケットを受信する。
【００６１】
（Ｓ５０９）
ＤＨＣＰ−Ａｃｋパケット内のＩＰアドレスを新たに保持する。
【００６２】
（Ｓ５１０）
動作シーケンスを終了する。
【００６３】
以上説明してきたように、本実施の形態に係る無線ＬＡＮシステム１０では、移動端末を上述の動作を行うように構成することで実現できるため、ネットワーク側は既存システムをそのまま流用できる。よって、ネットワーク側の構成やプロトコルを変更する必要はなく、無線ＬＡＮシステムの構築にかかるコストを抑えることができる。
【００６４】
また、移動端末１は、ハンドオーバを実行する場合に、最初にＤＨＣＰ−Ｄｉｓｃｏｖｅｒパケットを送信し、ＤＨＣＰサーバから受信したＤＨＣＰ−Ｏｆｆｅｒパケット内のＩＰアドレスをハンドオーバ前に使用していたＩＰアドレスと比較することで、ハンドオーバ前に使用していたＩＰアドレスにそのまま保持する、又は新たなＩＰアドレスを保持するという動作を行う。このように、新たなＩＰアドレスを取得する動作はＤＨＣＰプロトコルの手順のみであり、従来技術のアクセスポイントと通信管理サーバ間の通信のような追加の通信手順は含まれない。したがって、ＩＰアドレスの再取得にかかる時間をより短縮することができると共に移動端末１が通信中に異なるセグメントに属するアクセスポイントへハンドオーバを行った場合の通信データの欠落をより少なくすることができる。
【符号の説明】
【００６５】
１  移動端末
２ａ，２ｂ  セグメント
３ａ1，３ａ2，３ｂ  アクセスポイント
４ａ，４ｂ  ＤＨＣＰサーバ
５  ルータ
６ａ1，６ａ2，６ｂ  カバーエリア
【図１】
2011199732.tif 000003
【図２】
2011199732.tif 000004
【図３】
2011199732.tif 000005
【図４】
2011199732.tif 000006
【図５】
2011199732.tif 000007